(57)【要約】【課題】  複数の光源灯の間に配置され、両側の光源灯の光をそれぞれ反射する反射板を前記照明器具本体に固定してなる照明器具において、簡単な構造によって反射板と照明器具本体とを常に同電位とすること。【解決手段】  照明器具本体１の中央部に適宜間隔を隔てた２本の断面三角形状の突条１ｃを形成し、その突条１ｃ間に反射板２の端部２ａを嵌め込み固定する照明器具であって、突条１ｃ間の照明器具本体１の底面１ｂに、先端に突起７ａを備えた接地用ばね金具７をねじ８で取付け、先端の突起７ａを突条１ｃの側面に形成した角孔１ｄに位置させ、反射板２の端部２ａの嵌め込み時、接地用ばね金具７の突起７ａにより前記反射板の絶縁塗膜を剥離して接地用ばね金具７と反射板２を導電接続する。【選択図】  図２
2005327537.tif 000002
【特許請求の範囲】
【請求項１】
一面側に複数の光源灯を装着し、光源灯間の中央部に前記光源灯の点灯回路部品を取付けてなる全面に絶縁塗膜を施した金属製の照明器具本体と、前記点灯回路部品を覆い前記照明器具本体に装着した複数の光源灯の間に配置され、両側の光源灯の光を反射する全面に絶縁塗膜を施した金属製の反射板とを備え、前記反射板を前記照明器具本体の前記一面側に固定してなる照明器具において、先端に突起を備えた接地用ばね金具を前記照明器具本体に取付けるとともに、前記反射板を前記照明器具本体に固定すると同時に、前記接地用ばね金具の突起により前記反射板の絶縁塗膜を剥離して前記接地用ばね金具と前記反射板を導電接続してなることを特徴とする照明器具。
【発明の詳細な説明】
【技術分野】
【０００１】
本発明は、照明器具、詳しくは反射板の接地構造に関するものである。
【背景技術】
【０００２】
一面を開放した浅い箱状の照明器具本体内に、例えば複数本の直管状の蛍光放電灯を並列に装着し、屋内の天井や壁面などに敷設する照明器具は普通に知られている。図５（平面図）および図６（図５のＡ−Ａ断面図）はこのような照明器具の一例の構成を示すもので、図５および図６において、１は鉄などの金属製の照明器具本体、２は鉄などの金属製の反射板、３は点灯回路部品、４は電線、５は直管型放電灯などの光源灯、６はソケットである。照明器具本体１は表面全域に絶縁塗膜（内面は白色塗膜）を施した長方形の浅い箱状をなし、長手方向の側面は開放側に広がる傾斜面１ａとされ、底面１ｂの中央部に長手方向に伸びる、適宜間隔を隔てた２本の断面三角形状の突条１ｃが開放側に向けて形成されている。
【０００３】
反射板２は表面全域に絶縁塗膜（外面は白色塗膜）が施され、照明器具本体１の底面１ｂ側に広がる断面三角形状をなし、広げた両側の端部２ａは内側に折り曲げて形成され、その両側の端部２ａを照明器具本体１の２本の三角形状の突条１ｃに反射板２のばね力に抗して嵌め込んで照明器具本体１に固定される。ソケット６は照明器具本体１の三角形状の突条１ｃと側面間の底面１ｂに沿う長手方向両側の端部に設けられ、光源灯はこのソケット６に装着される。点灯回路部品３は照明器具本体１の２本の断面三角形状の突条１ｃ間の底面１ｂに取付けられ、点灯回路部品３からソケット６などへ伸びる電線４は照明器具本体１の２本の断面三角形状の突条１ｃ間の底面１ｂに沿って配置されている。
【０００４】
以上のような照明器具は、屋内の天井や壁面などに敷設するとき、照明器具本体１は接地されるので、照明器具本体１に触れても感電する恐れはないが、照明器具本体１と反射板２との間は絶縁塗膜により絶縁されており、電線４が反射板２上に垂れ下がった場合には反射板２の電位を高め、反射板２に触れると感電する恐れがあるといった問題があった。
【発明の開示】
【発明が解決しようとする課題】
【０００５】
本発明が解決しようとする課題は、複数の光源灯の間に配置され、両側の光源灯の光をそれぞれ反射する反射板を前記照明器具本体に固定してなる照明器具において、簡単な構造によって反射板と照明器具本体とを常に同電位とし、斯かる問題を解消する点にある。
【課題を解決するための手段】
【０００６】
本発明は、一面側に複数の光源灯を装着し、光源灯間の中央部に前記光源灯の点灯回路部品を取付けてなる全面に絶縁塗膜を施した金属製の照明器具本体と、前記点灯回路部品を覆い前記照明器具本体に装着した複数の光源灯の間に配置され、両側の光源灯の光を反射する全面に絶縁塗膜を施した金属製の反射板とを備え、前記反射板を前記照明器具本体の前記一面側に固定してなる照明器具において、先端に突起を備えた接地用ばね金具を前記照明器具本体に取付けるとともに、前記反射板を前記照明器具本体に固定すると同時に、前記接地用ばね金具の突起により前記反射板の絶縁塗膜を剥離して前記接地用ばね金具と前記反射板を導電接続してなることを特徴とする。
【発明の効果】
【０００７】
本発明に係る照明器具では、先端に突起を備えた接地用ばね金具を照明器具本体にねじなどで導電接続して取付け、反射板をこの接地用ばね金具のばね力に抗し、突起で絶縁塗膜を剥離しながら照明器具本体に固定するので、接地用ばね金具を照明器具本体に取付けるという簡単な作業構造で固定後は反射板と照明器具本体は常に同電位（接地電位）を維持することができ、反射板に触れても感電する恐れがなく、安全性の高い照明器具を得ることができる。
【発明を実施するための最良の形態】
【０００８】
複数の光源灯の間に配置され、両側の光源灯の光をそれぞれ反射する反射板を前記照明器具本体に固定してなる照明器具において、簡単な構造によって反射板と照明器具本体とを常に同電位とする目的を、照明器具本体に接地用ばね金具を取付けることにより実現した。
【実施例】
【０００９】
図１は本発明の実施例に係る照明器具の構造を示す縦断面図（ａ）と要部横断面図（ｂ）、図２は図１に示す照明器具の組立て斜視図である。なお、図５および図６に示す従来の照明器具と同一部分には同一の符号を付し、その部の詳細な説明は省略する。図１および図２において、７はＳＵＳばね材などで形成された接地用ばね金具、８はねじである。接地用ばね金具７は平板状の端部を折り曲げ、その先端部に突起７ａが形成され、その中央部をねじ８により照明器具本体１の２本の断面三角形状の突条１ｃ間の底面１ｂの内側中央部に固定されている。このねじ８により照明器具本体１と接地用ばね金具７とが導電接続される。
【００１０】
照明器具本体１の２本の断面三角形状の突条１ｃには、図１（ｂ）および図２に示すように互いに対向する側面に角孔１ｄが形成され、接地用ばね金具７の折り曲げた先端部は角孔１ｄに突き出している。反射板２の、照明器具本体１の２本の突条１ｃに嵌め込む端部２ａの側面には、照明器具本体１の角孔１ｄと係合する突起２ｂ（以下、ダボ２ｂという。）が形成されている。そして、反射板２の端部２ａを照明器具本体１の２本の突条１ｃに嵌め込むとき、接地用ばね金具７のばね力に抗して押し込み、この押し込みでダボ２ｂの表面は接地用ばね金具７の突起７ａと圧接し、ダボ２ｂの表面の絶縁塗膜を剥離してダボ２ｂと角孔１ｄとが係合し、この係合により反射板２は照明器具本体１に固定され、絶縁塗膜の剥離により反射板２と接地用ばね金具７は導電接続状態を維持する。なお、図示では接地用ばね金具７は一箇所に取付けているが、任意の複数箇所に取付けるようにしてもよい。
【００１１】
図３は本発明の他の実施例に係る照明器具の構造を示す縦断面図（ａ）と要部横断面図（ｂ）、図４は図３に示す照明器具の組立て斜視図である。なお、図５および図６に示す従来の照明器具と同一部分には同一の符号を付し、その部の詳細な説明は省略する。本実施例と図１および図２に示す実施例と相違する点は、反射板にダボを形成していない点であり、接地用ばね金具７の先端部の突起７ａが照明器具本体１の２本の突条１ｃの側面に形成した角孔１ｄより内側に突出させている。
【００１２】
このように形成しても、図１および図２に示す実施例と同様に、反射板２の端部２ａを照明器具本体１の２本の突条１ｃに嵌め込むとき、接地用ばね金具７のばね力に抗して押し込み、この押し込みで反射板２の端部２ａの表面は接地用ばね金具７の突起７ａと圧接し、その表面の絶縁塗膜を剥離して反射板２のばね力で反射板２は照明器具本体１に固定され、絶縁塗膜の剥離により反射板２と接地用ばね金具７は導電接続状態を維持する。なお、図示では接地用ばね金具７は一箇所に取付けているが、任意の複数箇所に取付けるようにしてもよい。
【００１３】
以上の各実施例は、直管型放電灯を２灯並列して装着する長方形状の照明器具であるが、装着する光源灯の形状および数並びに照明器具の形状は任意である。また、接地用ばね金具の先端の突起は１個であるが、この突起は複数個形成するようにしてもよい。
【図面の簡単な説明】
【００１４】
【図１】本発明の実施例に係る照明器具の構造を示す縦断面図（ａ）と要部横断面図（ｂ）である。
【図２】図１に示す照明器具の組立て斜視図である。
【図３】本発明の他の実施例に係る照明器具の構造を示す縦断面図（ａ）と要部横断面図（ｂ）である。
【図４】図３に示す照明器具の組立て斜視図である。
【図５】照明器具の平面図である。
【図６】図５に示す照明器具のＡ−Ａ断面図である。
【符号の説明】
【００１５】
１    照明器具本体
１ａ  側面
１ｂ  底面
１ｃ  突条
１ｄ  角孔
２    反射板
２ｂ  ダボ
３    点灯回路部品
４    電線
５    光源灯
６    ソケット
７    接地用ばね金具
７ａ  突起
８    ねじ
【図１】
2005327537.tif 000003
【図２】
2005327537.tif 000004
【図３】
2005327537.tif 000005
【図４】
2005327537.tif 000006
【図５】
2005327537.tif 000007
【図６】
2005327537.tif 000008